(57)【要約】      （修正有）【課題】レリースワイヤの作動部を踏み込んでしまった場合でも、作動部が抜け落ちたり、破損したりしないレリースワイヤの作動部用支持部材を得る。【解決手段】レリースワイヤ５１の作動部を排水口に支持するレリースワイヤ５１の作動部用支持部材であって、レリースワイヤの作動部を係止する軸受部１と、該軸受部１より放射状に延伸して排水口との間に介在するアーム部２とでなり、軸受部１上端には、該軸受部１に装填係止された作動部のシャフト頂端位置付近まで伸びる保護凸部１０を形成し、レリースワイヤ５１の作動部を軸受部１に装填係止し、この軸受部１がアーム部２を介して排水口に支持固定された状態での作動部のシャフト５２が踏み込まれても、該シャフト５２を保護する保護凸部１０が踏み込まれることとなって、踏み込みの負荷が作動部に集中されず、保護凸部１０を経て分散され、作動部の軸受部１よりの抜け落ちを防止できるものである。【選択図】図２
2011001805.tif 000002
【特許請求の範囲】
【請求項１】
レリースワイヤの作動部を排水口に支持する支持部材であって、レリースワイヤの作動部を係止する軸受部と、該軸受部より放射状に延伸して排水口との間に介在し、排水口に支持固定するアーム部とでなり、前記軸受部上端には、軸受部に装填係止されたレリースワイヤの作動部のシャフト頂端位置付近まで伸びる保護凸部が形成され、軸受部に係止されたレリースワイヤの作動部を踏み込んでしまっても抜け落ちないように作動部のシャフトが保護されていることを特徴とするレリースワイヤの作動部用支持部材。
【請求項２】
軸受部上端に形成される保護凸部が、該軸受部に装填係止されたレリースワイヤの作動部のシャフト頂端位置付近まで伸びる一対の対向する凸部で構成されることを特徴とする請求項１記載のレリースワイヤの作動部用支持部材。
【発明の詳細な説明】
【技術分野】
【０００１】  本発明は、遠隔操作式排水栓装置におけるレリースワイヤの作動部用支持部材に係るものである。
【背景技術】
【０００２】  遠隔操作式排水栓装置において、排水栓の開閉がレリースワイヤを介して操作される。それには、レリースワイヤの作動部を排水口に支持させる作動部用支持部材が設けられている。該作動部用支持部材は、レリースワイヤの作動部を係止固定する軸受部と、該軸受部がアーム部を介在して排水口に嵌着係止される支持部とでなり、その軸受部にレリースワイヤの作動部が装填係止され、そのアーム部を介して形成された支持部が排水口に嵌着係止されることによって、レリースワイヤの作動部が排水口に支持されている。【０００３】  レリースワイヤの作動部の排水口への確実な支持がされるために、レリースワイヤの作動部用支持部材を排水口へ嵌着係止させると、その支持部が縮径され、それに伴いアーム部を介して軸受部が縮径されて、装填されていたレリースワイヤの作動部を挟持係止することになる。該作動部の挟持係止が一層確実なものとするために、軸受部内周面に係合部を形成し、及び軸受部内周面を縮径する傾斜面に形成し、また軸受部に弾性的な縮径ができるよう軸方向への切り欠き部を形成している。
【先行技術文献】
【特許文献】
【０００４】
【特許文献１】  特開２００７−４６２７４
【発明の概要】
【発明が解決しようとする課題】
【０００５】  しかしながら、従来のレリースワイヤの作動部用支持部材は、レリースワイヤの作動部を係止固定する軸受部と、該軸受部がアーム部を介在して排水口に嵌着係止される支持部とでなり、これをもって、レリースワイヤの作動部を排水口に支持させるものであって、レリースワイヤの作動部がその軸受部に装填された状態で、アーム部を介在し、設けられたその支持部の排水口への嵌着支持で、その支持部が縮径されると共に、アーム部を介して形成される軸受部をも縮径し、レリースワイヤの作動部の確実な係止支持がされるものであったが、それにしても、排水口に支持された作動部用支持部材のレリースワイヤの作動部を踏んだ場合、該作動部が直接的に負荷を受けるため、作動部用支持部材から抜け落ちたり、破損したりして不都合であった。
そして、抜け落ちてしまった場合には、レリースワイヤの作動部の排水口への支持作業が最初の作動部用支持部材にレリースワイヤの作動部を装填させることから実施しなければならなく、不都合さがあった。【０００６】  そこで、本発明は、レリースワイヤの作動部を装填支持したレリースワイヤの作動部用支持部材が排水口に嵌着係止された状態で、そのレリースワイヤの作動部を踏んでしまった場合でも、踏み込みの負荷が作動部に集中されて該作動部用支持部材から作動部を抜け落ちたり、破損しないようにするレリースワイヤの作動部用支持部材を得ることにある。
【課題を解決するための手段】
【０００７】  本発明のレリースワイヤの作動部用支持部材は、レリースワイヤの作動部を排水口に支持する支持部材であって、レリースワイヤの作動部を係止する軸受部と、該軸受部より放射状に延伸して排水口との間に介在し、排水口に支持固定するアーム部とでなり、該軸受部上端には、軸受部に装填係止されたレリースワイヤの作動部のシャフト頂端位置付近まで伸びる保護凸部が形成され、軸受部に係止されたレリースワイヤの作動部を踏み込んでしまっても抜け落ちないように作動部のシャフトが保護されるものである。【０００８】  本発明のレリースワイヤの作動部用支持部材は、軸受部上端に、該軸受部へ装填係止されたレリースワイヤの作動部のシャフト頂端位置付近まで伸びる一対の対向する保護凸部が形成され、その作動部を踏み込んでも抜け落ちないように作動部のシャフトが保護されるものである。
【発明の効果】
【０００９】  本発明のレリースワイヤの作動部用支持部材は、レリースワイヤの作動部を係止する軸受部と、該軸受部より放射状に延伸して排水口に支持固定するアーム部とでなり、該軸受部上端には、軸受部に装填係止されたレリースワイヤの作動部のシャフト頂端位置付近まで伸びる保護凸部が形成されることによって、その作動部位置を踏み込んでしまっても、保護凸部が踏み込まれたことになって、作動部に負荷されず、その負荷が保護凸部を経て分散されることになる。結局、支持部材全体へ分散されることになって、作動部に踏み込みの負荷が集中されずにすみ、作動部の軸受部よりの抜け落ちがないように出来る。また、軸受部の破損がないように出来る。
そして、作動部の抜け落ちがないので、面倒で困難が嵩むレリースワイヤの作動部の再度の取り付け作業をする必要がなくなる。
【図面の簡単な説明】
【００１０】
【図１】  本発明のレリースワイヤの作動部を係止した作動部用支持部材が排水口の排水口金具に嵌着係止された状態断面図である。
【図２】  本発明のレリースワイヤの作動部を係止した作動部のシャフトを保護する一対の対向する保護凸部が形成されたレリースワイヤの作動部用支持部材の斜視図である。
【図３】  本発明のレリースワイヤの作動部を係止した作動部のシャフトを保護する一対の対向する保護凸部が形成されたレリースワイヤの作動部用支持部材の断面図である。
【図４】  本発明のレリースワイヤの作動部を係止した作動部のシャフトを保護するリング状保護凸部が形成された作動部用支持部材の断面図である。
【発明を実施するための形態】
【実施例１】
【００１１】  本発明のレリースワイヤの作動部用支持部材は、図１に示す如く、レリースワイヤ５１の作動部５を係止固定する軸受部１と、該軸受部がアーム部２を介在して排水口の排水口金具４に嵌着係止させる支持部３とでなる。
軸受部１の上端には、該軸受部に装填係止されたレリースワイヤ５１の作動部５のシャフト５２頂端位置付近まで伸びる一対の対向する保護凸部１０が形成されている。【００１２】  そして、軸受部１にレリースワイヤの作動部５を装填係止し、この軸受部がアーム部２を介して形成される支持部３を排水口金具４に嵌着係止し、この状態での作動部５を踏み込んだ場合でも、作動部５のシャフト５２が保護凸部１０で保護されているので、結局は保護凸部１０を踏むことになって、この踏み込み負荷が保護凸部１０を介して、軸受部１、アーム部２、そして支持部３への全体に分散されることとなって、作動部５の軸受部１よりの抜け落ちが防止される。【００１３】  ところで、支持部３は、図２、図３で示す如く、リング状枠体であって、その外周面下方にリブを設け、リング状枠体の下端より切欠部３１及びスリット部３２が切刻されることにより前記リブが排水口金具４下端に弾性的に係合する爪部３０となる。
そして、レリースワイヤの作動部用支持部材は、その支持部３によって、それが排水口金具４に嵌着されることによって、爪部３０を排水口金具４の下端に係合して堅固な締結がされることとなる。【００１４】  軸受部１は、その内周面上方及び下方に上方係止部１１及び下方係止部１２を形成し、且つ軸方向下方よりのスリット部１３を刻設し、弾性的に作動部５が装填され上方係止部１１及び下方係止部１２によって係止固定される。
軸受部１に装填され、係止固定されたレリースワイヤの作動部５は、軸受部１よりアーム部２を介して形成された支持部３が、排水口の排水口金具４に嵌合係止されることによって、アーム部２を介して、軸受部１が堅固になり、締結されることになる。【００１５】  しかしながら、軸受部１上端に保護凸部１０が設けられていない作動部用支持部材は、作動部５を軸受部に装填係止して、その支持部を排水口金具４に嵌着係止して設置した場合、作動部のシャフト５２が踏まれると、その負荷が直接作動部５に及び、作動部に負荷が集中化され、作動部５を軸受部１より抜け落ちさせてしまうか、破損させてしまう懸念があった。
そこで、踏み込みによる負荷の集中化を回避し、分散できるように軸受部１上端に一対の対向する保護凸部１０を形成する。
【実施例２】
【００１６】  レリースワイヤの作動部用支持部材は、図４に示す如く、レリースワイヤの作動部５を係止する軸受部１ａと、該軸受部より放射状に延伸して排水口との間に介在し、排水口に支持固定するアーム部２とでなり、軸受部１ａ上端には、軸受部へ装填係止される作動部５のシャフト５２頂端位置付近まで伸びるリング状の保護凸部１０ａが設けられている。
この保護凸部１０ａによって、作動部５のシャフト５２が踏み込まれようとしても、その踏み込む負荷がシャフト５２を保護している保護凸部１０ａで受けられ、軸受部１ａ、アーム部２、支持部３へと分散することができるので、軸受部１ａから作動部５を抜け落ちさせてしまうことがない。
【符号の説明】
【００１７】      １        軸受部
１ａ      軸受部
１０      保護凸部
１０ａ    保護凸部
１１      上方係止部
１２      下方係止部
１３      スリット部
２        アーム部
３        支持部
３０      爪部
３１      切欠部
３２      スリット部
４        排水口金具
５        作動部
５１      レリースワイヤ
５２      シャフト
【図１】
2011001805.tif 000003
【図２】
2011001805.tif 000004
【図３】
2011001805.tif 000005
【図４】
2011001805.tif 000006